(57)【要約】      （修正有）【課題】持ち運びに便利な軽量・小型で、かつ任意のポイントに正確に穴開け可能で、穴開けと同時に穴補強シールを貼付できる１穴パンチを提供する。【解決手段】従来の爪切り構造の上刃部分にパンチ刃４とシール貼付部１３をつけ、下刃部分にパンチ刃４とすり合い、紙を切断するための穴５を開ける。パンチ刃４を縦長筒状にし、中央に穴を設け、上から紙２２をのぞけるようにすることで紙につけた印を確認して、印のポイントに正確に穴を開けることができる。シールは下部に接着剤をつけたものを積層状にパンチ刃４にとりつけることで、パンチ刃が下穴に入る時にいっしょに紙にシールが押しつけられ、シールが貼付される。【選択図】図１
2013027970.tif 000002
【特許請求の範囲】
【請求項１】
先端が開放され、他端が固着された基部であって先端が開放する方向に付勢された上下一対のパンチからなるパンチ本体とパンチ本体の先端寄りにあって、一端が下パンチに固着され、他端は上パンチに設けられた通し穴から突出した軸を有し、その軸の突出部に押圧ハンドルの一端を回転自在に、上パンチを押さえるように取り付けると共に、前記パンチ本体の前記軸よりも先端寄りに上パンチにはパンチ刃を固着し、下パンチには該パンチ刃に対応してパンチ孔を設けたことを特徴とする１穴パンチ。
【請求項２】
１穴パンチのパンチ刃に穴補強のためのシール貼付部材がはめこまれており、そのシール貼付部材は上部にパンチ本体への取りつけ部材があり、周りにギザギザの歯のついた筒を中央に保持し、またその筒をはずすことのできるストッパーを有することを特徴とする請求項１記載の１穴パンチ
【請求項３】
任意のポイントに穴を開けるためにパンチ刃中央に貫通する穴を開けたことを特徴とする請求項１又は請求項２のいずれかに記載の１穴パンチ
【発明の詳細な説明】
【技術分野】
【００００】  紙の穴開け用の１穴パンチに関するものである。
【背景技術】
【０００１】  従来、１穴パンチとしては、底板と上板の間に穴を開けようとする用紙の入る隙間が設けられており、底板にはパンチの下刃である下穴が設けられ、上板に設けられた穴からは上刃であるポンチが出入りし、上から押圧された上刃であるポンチと底板の下刃により紙に穴が開けられるものが知られている（特許文献１参照）【０００２】  １つ穴によるファイルノート（特許文献２参照）に用いるためにも小型・軽量のものが望まれるが、そのようなパンチは見あたらなかった。
【先行技術文献】
【０００３】
【特許文献１】  特開２００５−２８５４５号公報
【特許文献２】  特許第４７６５０９１号公報
【発明の概要】
【発明が解決しようとする課題】
【０００４】  １穴パンチとしては事務所や家庭内に据え置きして用いるものは存在するが人が携帯できる程度の小型、軽量なパンチがなかった。
又、任意の点への穴開けが困難なうえ、穴の補強のためのシールを別途貼らなければならない。
【課題を解決するための手段】
【０００５】  本願は、先端が開放され、他端が固着された基部であって、先端が開放する方向に付勢された上下一対のパンチからなるパンチ本体と、パンチ本体の開放端寄りにあって一端が下パンチに固着され他端は上パンチに設けられた通し穴から突出した軸を有し、その軸の上端の突出部に回転自在で上パンチを押さえる、押圧ハンドルを取りつけると共に、前記パンチ本体の前記軸よりも先端寄りに、上パンチにはパンチ刃を固着し、下パンチには該パンチ刃に対応してパンチ孔を設けたことを特徴とする１穴パンチである。【０００６】  構造を簡単に説明すると、従来知られている爪切りの原理を利用したものであり、爪を切るための先端部にある上下の刃に代えて上パンチにはパンチ刃を固着し、下パンチには該パンチ刃に対応してパンチ孔を設けたものである。【０００７】  しかしながら本願発明はパンチ刃部にのぞき穴とシール貼付部の構造を有するものであって、この点の構造は従来技術には存在しない。又、この構造により任意点に確実に穴を開けることが可能となり、かつ、穴開けと同時に穴補強シール貼付の効果を奏するものである。
【発明の効果】
【０００８】  本願発明により、従来果たせなかった携帯可能な小型軽量な１穴パンチとすることができた。
又、任意のポイントに確実に穴を開けることができ、穴開けと同時に補強シールを貼付できるという効果も達成することができた。また補強シール貼付部は簡単に取りはずせるので補強シールの貼付が必要ない場合にも対応できる。
【図面の簡単な説明】
【０００９】
【図１】本願発明の使用順の側面図を示す。
【図２】本願発明の正面図を示す。
【図３】本願発明の平面図を示す。
【図４】本願発明の穴補強シール貼付部材を示す。
【図５】本願発明の穴補強シール貼付部材分解図を示す。
【発明を実施するための形態】
【００１０】  以下、本願発明について、図を用いて説明する。
【実施例】
【００１１】図１（ａ）は収納時（折り畳み時）の側面図を示す。
（ｂ）は押圧ハンドル６を持ち上げて１８０°回転させた図である。
（ｃ）はパンチ全体を握って押圧ハンドル６を押圧した図である。
押圧ハンドル６が下がることによって、曲折部でっぱり６−２が上パンチ２を押し下げて、パンチ刃４がパンチ孔５に入り、紙２２に穴を開ける。この時補強シール貼付部材１３のシールブロック１５が紙２２の穴の周囲に貼付される。また押圧ハンドル６を押圧する時にのぞき穴１１から紙２２をのぞくことで紙２２についた印を、のぞき穴１１下にあわせて、紙２２の印を正確に穴にすることができる。【００１２】図２は折り畳み時の正面図を示す。
図３は折り畳み時の上面図を示す。
押圧ハンドル６はハンドルストッパー１２により、上パンチ２の幅中央に収納され、左右に動くことはない。
使用時は押圧ハンドル６の軸７で固定されていない細い方を引き上げ、反対側に倒し、かつ水平に１８０°回転させることによって図（ｂ）の状態にする。
軸７は中央にのぞき穴１１を有し、紙２２の穴開け点を確認できる。【００１３】図４（ａ）は補強シール貼付部材１３の正面図を示す。
取りつけ部材１４は貼付部材基部１７に固着され磁力、あるいは粘着力、あるいはネジ式、など取りはずし可能な方法で、上パンチ２の下面に取りつける。この時パンチ刃４はシールストッパー１６の中を通って、シールストッパー１６先端から下に出る。シールブロック１５は、下面に接着剤を有するシールが積層になっているブロックであり、筒状のシールストッパー１６を下から差し込むことにより貼付部材基部１７に装着される。
シールの補充は補強シール貼付部材１３ごと取りはずしシールストッパー１６をはずし、シールブロック１５を補充し、再びシールストッパー１６を取りつけた補強シール貼付部材１３を上パンチ２に取りつけることで完了する。【００１４】図４（ｂ）は補強シール貼付部材１３の分解した図を示す。
シールブロック１５を新たに取りつける時、もしくは補充する時には、補強シール貼付部材１３を、上パンチ２からはずし、パンチ刃４から抜き取る。これで補強シール貼付部材１３はパンチ本体１からはずれた状態となる。（図４（ａ））【００１５】  この状態でシールストッパー１６を下から抜き取り貼付部基部１７下面にシールブロック１５を、接着剤を有する方を下にしてあて、シールストッパー１６を、下から上へ止まるまで差し込む。（補強シール貼付部材１３になる。）これを、パンチ刃４がシールストッパー１６の中へ入るように、下からパンチ刃４に差し込み、上パンチ２に取りつける。【００１６】  押圧ハンドル６を押圧することで、シールブロック１５は１枚ずつはがれ接着剤により、紙２２に接着されて、シールブロック１５の厚みは減っていく。それと同時にシールストッパー１６も上部へ押され、貼付部材基部１７の中に入り込んでいく状態となるので、補強シール貼付部材１３の厚みは減っていく。【００１７】図４（ｃ）は補強シール貼付部材１３の平面図を示す
図４（ｄ）は図４（ｃ）のＡ−Ａ線で切断した補強シール貼付部材１３の端面図であり、これは、シールストッパー１６を取りはずすための部材であるストッパー部材１８の末端で、シールストッパー１６が押し込まれていった時の後もどりを防ぐための角１９を含む部分を示す【００１８】図４（ｅ）は、シールストッパー１６が補強シール貼付部材１３にセットされている時で、シールストッパー１６がストッパー部材１８の角１９にひっかかっている状態を示すＢ部の拡大図である。
シールブロック１５が、使用により減ると同時に、シールストッパー１６は押し上げられ、角１９にひっかかる溝が順次下へ移動していくためシールストッパー１６は貼付部材基部１７へ押し上げられる。そして、溝が角１９にひっかかる故に逆戻りは起こらない。【００１９】図４（ｆ）は、貼付部材基部１７の底面部材を取り除いて、ストッパー部材１８と貼付部材基部１７との位置関係を底面側より示す。
ストッパー部材１８は、角１９にがシールストッパー１６の溝にひっかかることによりシールストッパー１６の逆戻りを防ぐ。そしてボタン２０を押すことでシールストッパー１６の溝から角１９をはずすことができる。これによりシールストッパー１６は貼付部材基部１７からとりはずすことができる。そしてボタン２０を押した手を放すことで、バネ２１の働きで角１９はもとの位置に戻り、再びシールストッパー１６の溝にひっかかり、シールストッパー１６を上げていくために働く。
角１９の位置を貼付部材基部１７の内側に少し出すために貼付部材基部１７の内壁と底面は少し欠いた部分を作る。【００２０】  シールブロック１５を貼付部材基部１７下部にあて、シールストッパー１６をシールブロック１５の下から差し込むことでシールストッパー１６は再びストッパー部材１８の角１９にひっかかり、シールブロック１５は貼付部材基部１７に固定される。【００２１】図５（ａ）はストッパー部材１８の立体図を示す。
図５（ｂ）は貼付部材基部１７のシールブロック１５とシールストッパー１６を装着しない状態の下面図を示す。
ストッパー部材１８は貼付部材基部１７下部に内蔵され、貼付部材基部１７の内側では角１９の先端のみが内に突出している。貼付部材基部１７の外側では、ボタン２０のみが外に突出している。【００２２】図５（ｃ）はシールストッパー１６の立体図を示す。
図５（ｄ）はシールブロック１５にシールストッパー１６を差し込んだ立体図を示す。
【産業上の利用可能性】
【００２３】文房具産業において活用できるものである。
【符号の説明】
【００２４】  １、パンチ本体
２、上パンチ
３、下パンチ
４、パンチ刃
５、パンチ孔
６、押圧ハンドル
６−１  曲折部
６−２  曲折部でっぱり
７  軸
８  通し穴
９  基部
９−１  ひも通し穴
１０  ゴミ受け
１１  のぞき穴
１２  ハンドルストッパー
１３  補強シール貼付部材
１４  取りつけ部材
１５  シールブロック
１６  シールストッパー
１７  貼付部材基部
１８  ストッパー
１９  角
２０  ボタン
２１  バネ
２２  紙
【図１】
2013027970.tif 000003
【図２】
2013027970.tif 000004
【図３】
2013027970.tif 000005
【図４】
2013027970.tif 000006
【図５】
2013027970.tif 000007